(57)【要約】【課題】周波数によらず、半導体基板を介した半導体素子、又は、半導体回路への不要な信号の伝搬を抑制し、寄生容量結合による半導体装置の信号品質の劣化を抑えること。【解決手段】半導体装置は、半導体基板１００と、半導体基板１００の表面部に形成され、信号を発する半導体素子１０５と、半導体素子１０５と接続された信号線１０３と、信号線１０３直下に、半導体基板１００上に位置するように形成されたポリシリコン層１０２と、を備える。【選択図】図２
2014167954.tif 000002
【特許請求の範囲】
【請求項１】
半導体基板と、
前記半導体基板の表面部に形成され、信号を発する半導体素子と、
前記半導体素子と接続された信号線と、
前記信号線直下に、前記半導体基板上に位置するように形成されたポリシリコン層と、
を具備する半導体装置。
【請求項２】
前記ポリシリコン層の幅は、少なくとも、前記信号線の幅よりも広い、
請求項１記載の半導体装置。
【請求項３】
前記ポリシリコン層は、前記半導体素子と前記信号線と接続されない他の半導体素子とが形成される範囲以外の範囲に形成される、
請求項１記載の半導体装置。
【請求項４】
前記半導体基板内において、前記半導体素子、前記信号線と接続されない他の半導体素子、または、双方の半導体素子の周囲を少なくとも１重に取り囲むように、トレンチ型絶縁領域が形成されている、
請求項１記載の半導体装置。
【請求項５】
前記半導体基板内において、前記第１の半導体素子、前記信号線と接続されない他の半導体素子、または、双方の半導体素子の周囲を少なくとも１重に取り囲むように、ガードリングが形成されている、
請求項１記載の半導体装置。
【請求項６】
前記半導体基板は、単一の抵抗率の素材、または、抵抗率の異なる複数の層構成により形成されている、
請求項１記載の半導体装置。
【発明の詳細な説明】
【技術分野】
【０００１】
本発明は、ベースバンド帯域からＲＦ（Radio Frequency）帯域（高周波帯域）における、アナログ回路、デジタル回路またはアナログ・デジタル混載回路を構成する半導体素子及び半導体回路が形成された半導体装置に関し、特に信号線から伝搬する信号干渉を防ぐ半導体装置に関する。
【背景技術】
【０００２】
近年、無線機器をはじめとする電気機器において使用されるモジュールに対する小型化・低コスト化の要望はますます強くなってきている。この要望に対応するために、半導体装置において、チップレイアウトの面積縮小、高周波帯域・ベースバンド帯域の１チップ化、及びデジタル・アナログ混載チップ化が推進されている。しかし、このような構成をとる半導体装置では、素子間、ブロック間、または、チップ間の信号間干渉が増大し、信号処理に支障がきたされるため、良好なアイソレーション対策を講じなければならない。
【０００３】
従来のアイソレーション手法としては、半導体素子を電気的に分離するトレンチ型絶縁領域を用いる手法がある（例えば、特許文献１参照）。
【０００４】
図１は、従来のアイソレーション手法が適用された半導体基板の断面図を示す。
【０００５】
図１において、半導体基板３００は、第１層３０３と、半導体基板３００の表面側に形成された第２層３０４と、を有する。また、第２層３０４内に、Ｓ１ポート（信号線）３０１及びＳ２ポート（信号線）３０２にそれぞれ接続された２つの半導体素子（フォトダイオード）３０５を有する。また、半導体基板３００内において、Ｓ１ポート３０１に接続された半導体素子３０５（第２層３０４）を取り囲むように、トレンチ型絶縁領域３０６が形成されている。
【０００６】
図１に示す構成を有する半導体装置では、半導体素子３０５間に１つのトレンチが形成されるので、半導体基板３００の表面に対して平行な方向（図１では横方向）への信号干渉を防ぐことができる。また、半導体素子３０５の下方の基板の抵抗率を高くすることで、トレンチ型絶縁領域３０６の更に下方、すなわち所定の深さより深い位置まで伝搬し、横方向に伝搬する信号（つまり、トレンチを迂回する信号）は減衰する。以上より、アイソレーションが向上する。
【先行技術文献】
【特許文献】
【０００７】
【特許文献１】特開２００７−６７０１２号公報
【発明の概要】
【発明が解決しようとする課題】
【０００８】
ここで、半導体基板と信号線との間に生じる寄生容量により、半導体基板と信号線とは電気的に結合（寄生容量結合）される。寄生容量結合により、或る半導体素子に接続された信号線を伝搬する信号が半導体基板を介して、他の半導体素子又は他の半導体回路に伝搬することにより信号干渉が発生してしまう。これに対して、上記従来の構成では、半導体基板内におけるアイソレーションのみしか考慮されていないので、上記信号線からの信号の伝搬（不要な信号の伝搬）に起因する信号干渉によって半導体装置の信号品質が劣化するという課題が生じる。特に、高い周波数ほど寄生容量による影響がより大きくなるので、高周波帯域向けに用いられる半導体装置では、寄生容量結合が信号品質の劣化に与える影響がより大きくなる。
【０００９】
本発明の目的は、周波数によらず半導体基板を介した半導体素子又は半導体回路への不要な信号の伝搬を抑制し、半導体装置の信号品質の劣化を抑えることができる半導体装置を提供することである。
【課題を解決するための手段】
【００１０】
本発明の一態様に係る半導体装置は、半導体基板と、前記半導体基板の表面部に形成され、信号を発する半導体素子と、前記半導体素子と接続された信号線と、前記信号線直下に、前記半導体基板上に位置するように形成されたポリシリコン層と、を具備する構成を採る。
【発明の効果】
【００１１】
本発明によれば、周波数によらず半導体基板を介した半導体素子又は半導体回路への不要な信号の伝搬を抑制し、半導体装置の信号品質の劣化を抑えることができる。
【図面の簡単な説明】
【００１２】
【図１】従来のアイソレーション手法を用いた半導体基板を示す断面図
【図２】本発明の一実施の形態に係る半導体基板を示す断面図
【図３】本発明の一実施の形態に係る半導体基板を示す平面図
【図４】本発明の一実施の形態に係る周波数−アイソレーション特性を示す図
【図５】本発明の一実施の形態に係る半導体基板のバリエーションを示す図
【図６】本発明の一実施の形態に係る半導体基板のバリエーションを示す図
【図７】本発明の一実施の形態に係る半導体基板のバリエーションを示す図
【発明を実施するための形態】
【００１３】
以下、本発明の実施の形態について、図面を参照して詳細に説明する。
【００１４】
図２は、本実施の形態に係る半導体装置における半導体基板１００の断面図であり、図３は、半導体基板１００の表面側から見た平面図である。なお、図２は、図３に示す平面図の線Ａ−Ａ’における断面図である。
【００１５】
図２に示す半導体基板１００の表面側に第１層１０７が形成され、第１層１０７の表面部（つまり半導体基板１００の表面部）に半導体素子１０５および半導体素子１０６がそれぞれ形成されている。
【００１６】
半導体素子１０５，１０６は、信号を発する。半導体素子１０５，１０６としては、例えば、アナログ回路、デジタル回路などの集積回路、バイポーラトランジスタ、MOSトランジスタなどのアクティブ素子、または、抵抗、インダクタ、キャパシタなどのパッシブ素子が挙げられる。
【００１７】
信号線１０３は、半導体素子１０５が動作することにより発する信号を伝搬する。
【００１８】
信号線１０９は、半導体素子１０６が動作することにより発する信号を伝搬する。
【００１９】
信号線１０３および信号線１０９は、例えば、メタル配線であり、アルミ、銅などの導電性の高い金属素材によって形成される。また、信号線１０３は、ビアを介して半導体素子１０５と接続され、半導体素子１０６とは接続されていない。同様に、信号線１０９は、ビアを介して半導体素子１０６と接続され、半導体素子１０５とは接続されていない。
【００２０】
ポリシリコン層１０２は、信号線１０３の直下に、半導体基板１００上に位置するように形成される。なお、ポリシリコン層１０２は、シリコン酸化膜に代表される絶縁膜を介して半導体基板１００の表面部に形成される。また、ポリシリコン層１０２は、信号線１０３とは物理的に交わっていない。例えば、ポリシリコン層１０２は、少なくとも半導体基板１００の表面部と比較して非常に高い抵抗を有する。
【００２１】
また、図３に示すように、ポリシリコン層１０２の幅は、少なくとも、信号線１０３の幅よりも広いものとする。また、図３に示すように、信号線１０３に沿う方向（図３では横方向）において、信号線１０３の直下に相当する範囲のうち、半導体素子などのデバイス単体素子上にはポリシリコン層１０２を形成せず、それ以外の設計規則を満たす範囲には可能な限りポリシリコン層１０２を形成することが望ましい。例えば、図３では、ポリシリコン層１０２は、信号線１０３直下に相当する範囲のうち、半導体素子１０５と、信号線１０３と接続されない半導体素子１０６とが形成される範囲以外の範囲に形成される。
【００２２】
なお、図２および図３では、信号線１０３に対応するポリシリコン層１０２のみを図示している。しかし、半導体基板１００では、同様にして、信号線１０９に対応するポリシリコン層が形成されてもよい。具体的には、半導体基板１００は、信号線１０９の直下に、半導体基板１００上に位置するように形成されるポリシリコン層を有してもよい。
【００２３】
以上の構造を有する半導体装置において、例えば、半導体素子１０５が動作すると、信号または信号に起因する雑音は、半導体基板１００に対して各方向へ拡散するとともに、ビア（図示せず）を介して半導体素子１０５と接続される信号線１０３上を伝搬する。
【００２４】
この際、信号線１０３は、寄生容量結合によって、ポリシリコン層１０２と電気的に結合される。このため、信号線１０３を伝搬する信号はポリシリコン層１０２にも伝搬される。さらに、ポリシリコン層１０２と半導体基板１００との間にも寄生容量が生じるので、ポリシリコン層１０２と半導体基板１００とは電気的に結合される。つまり、信号線１０３を伝搬する信号は、ポリシリコン層を介して半導体基板１００にも伝搬されることになる。
【００２５】
しかし、上述したように、ポリシリコン層１０２は、非常に高い抵抗成分を有するため、信号線１０３からポリシリコン層１０２に伝搬される信号は、ポリシリコン層１０２において大幅に減衰される。このため、ポリシリコン層１０２から半導体基板１００へ伝搬される信号成分は非常に微小な信号となる。
【００２６】
このようにして、信号線１０３と半導体基板１００との間にポリシリコン層１０２が形成されることにより、アイソレーションが向上する。つまり、信号線１０３を伝搬する信号が半導体基板１００に伝搬されることに起因する信号干渉を抑制し、半導体装置の信号品質の劣化を抑えることができる。
【００２７】
図４は、本実施の形態に係る構成の半導体装置（図２、図３）、および、従来の構成の半導体装置（例えば図１）における周波数−アイソレーション特性を示す。
【００２８】
図４において、横軸は周波数［Ｈｚ］を示し、縦軸はアイソレーション［ｄＢ］を示す。また、実線は、本実施の形態に係る構成の半導体装置（つまり、ポリシリコン層１０２を有する構成）の特性を示し、一点鎖線は、従来の構成の半導体装置（つまり、ポリシリコン層を有さない構成）の特性を示す。
【００２９】
図４に示すように、本実施の形態の構成によれば、従来の構成と比較して、全ての周波数においてアイソレーションが向上していることが確認できる。特に、高周波帯域（およそ１ＧＨｚ以上）では、従来の構成と比較して、周波数が高いほど、アイソレーションが向上しており、本実施の形態の構成によるアイソレーションの向上効果がより高いことが分かる。つまり、寄生容量結合が信号品質の劣化に与える影響がより大きくなる高い周波数においてもアイソレーションを向上させることができる。
【００３０】
以上のように、本実施の形態によれば、ポリシリコン層を、半導体素子において生成された信号が伝搬される信号線の直下に、半導体基板上に位置するように形成されることにより、寄生容量結合による信号線から半導体基板への信号の伝搬（不要な信号伝搬）を防ぐことができる。具体的には、容量性結合により信号線（メタル配線）とポリシリコン層とが電気的に結合し、信号線を伝搬する信号がポリシリコン層に伝搬されても、ポリシリコン層が高抵抗であることから信号が減衰し、半導体基板に伝搬する信号を小さくすることができる。
【００３１】
よって、本実施の形態によれば、周波数によらず半導体基板を介した半導体素子又は半導体回路への不要な信号の伝搬を抑制し、半導体装置の信号品質の劣化を抑えることができる。
【００３２】
［他の実施の形態］
［１］上記実施の形態では、信号線１０３の直下にポリシリコン層１０２を形成する場合について説明した。しかし、信号線１０３の直下に形成される層は、ポリシリコン層に限らず、信号線と半導体基板との間に生じる寄生容量による信号線から半導体基板への信号の不要な伝搬を抑えることができる素材（絶縁層）から形成されればよい。
【００３３】
［２］また、上記実施の形態では、半導体基板の構成として図２に示す半導体基板１００の構成を一例として説明したが、半導体基板の構成は図２に示す構成に限らない。具体的には、図５に示すように、信号線１０３の直下に、半導体基板１００上に位置するように形成されるポリシリコン層１０２を有する構成であれば、半導体基板１００内の構成は限定されない。
【００３４】
例えば、半導体基板１００において、半導体素子１０５を囲うトレンチ型絶縁領域１０８は、図１に示すような１重に限らず、２重以上の構成であってもよい。また、図１では、半導体基板１００において、トレンチ型絶縁領域１０８が半導体素子１０５を取り囲む構造を有するが、トレンチ型絶縁領域１０８が半導体素子１０６を取り囲む構造を有してもよい。図６は、一例として、半導体素子１０５に対して、トレンチ型絶縁領域１０８が２重で囲むように形成され、半導体素子１０６に対して、トレンチ型絶縁領域１０８が１重で囲むように形成される構成を示す。
【００３５】
また、半導体基板１００内においてアイソレーションを向上させる手法として、トレンチ型絶縁領域を形成する場合に限らず、例えば、半導体素子を囲むようにガードリングを形成した構成でもよく、または、トレンチ型絶縁領域とガードリングとを組み合わせた構成でもよい。また、半導体素子を囲むガードリングは、１重でもよく、２重以上でもよい。
【００３６】
また、例えば、半導体基板内が単一の抵抗率の素材により構成される場合に限らず、抵抗率の異なる複数の素材により構成されてもよい。
【００３７】
または、上述した半導体基板１００内部の構成例を任意に組み合わせてもよい。
【００３８】
これらのような半導体基板１００内の構成を有することにより、信号線からの不要な信号伝搬に加え、半導体基板内での不要な信号伝搬も防ぐことができ、アイソレーションを更に向上させることができる。
【００３９】
［３］また、ポリシリコン層１０２は、電気的に何れかの素材に接続されていてもよく、接続されていなくてもよい。
【００４０】
［４］また、図３では、信号線１０３の直下に、信号線１０３に物理的に接続されていない半導体素子１０６が形成されている場合について説明した。しかし、例えば、図７に示すように、信号線１０３の直下に、信号線１０３に物理的に接続されていない半導体素子１０６が形成されていない場合でも、上記実施の形態と同様、信号線１０３からの寄生容量結合による信号干渉はポリシリコン層１０２において抑制されるので、信号線１０３から半導体基板１００を介した半導体素子１０６への不要な信号の伝搬は抑制され、半導体装置の信号品質の劣化を抑えることができる。
【００４１】
［５］また、図３では、信号線１０３が一方向のみに形成される場合について説明したが、例えば、図７に示すように、信号線１０３が分岐して複数の方向に形成されてもよい。この場合でも、信号線１０３の直下にポリシリコン層１０２が形成されればよい。
【産業上の利用可能性】
【００４２】
本発明は、半導体装置に適用でき、特に、ベースバンド帯域からＲＦ帯域における、アナログ回路、デジタル回路またはアナログ・デジタル混載回路を構成する半導体素子及び半導体回路が形成された半導体装置等において、信号間干渉の防止およびアイソレーションの強化などの手法として有用である。
【符号の説明】
【００４３】
１００，３００  半導体基板
１０２  ポリシリコン層
１０３，１０９  信号線
１０５，１０６，３０５  半導体素子
１０７，３０３  第１層
３０１  Ｓ１ポート
３０２  Ｓ２ポート
３０４  第２層
１０８，３０６  トレンチ型絶縁領域
【図１】
2014167954.tif 000003
【図２】
2014167954.tif 000004
【図３】
2014167954.tif 000005
【図４】
2014167954.tif 000006
【図５】
2014167954.tif 000007
【図６】
2014167954.tif 000008
【図７】
2014167954.tif 000009